(57)【要約】【課題】本発明はデジタルアンプなどに用いられるチョークコイルに関するもので、コイルに流れる瞬間的な大電流に対し、漏洩磁束の少ないことを目的としたものである。【解決手段】略方形状の外形を有する磁気コア１に、コイル２を収納する凹部１ａと、コイル２の中央部に磁心を形成する中央凸部１ｂと、外周部１ｃとを備え、前記中央凸部１ｂの断面積が略方形状の外形の断面積に対し２０〜２６％であることを特徴としたチョークコイルとすることにより課題を解決する。【選択図】図１
2006210644.tif 000002
【特許請求の範囲】
【請求項１】
略方形状の外形を有する磁気コアに、コイルを収納する凹部と、コイルの中央部に磁心を形成する中央凸部と、外周部とを備え、前記中央凸部の断面積が略方形状の外形の断面積に対し２０〜２６％であることを特徴としたチョークコイル。
【請求項２】
磁気コアの材料をＮｉ−ＺｎフェライトもしくはＭｎ−Ｚｎフェライトのどちらかであることを特徴とした請求項１に記載のチョークコイル。
【発明の詳細な説明】
【技術分野】
【０００１】
本発明は、デジタルアンプなどに使用されるチョークコイルに関するものである。
【背景技術】
【０００２】
従来のチョークコイルの分解斜視図を図５に示す。
【０００３】
図５において、１０１はＭｎ−Ｚｎフェライトからなる磁気コアであり、凹部１０１ａと中央凸部１０１ｂと外周部１０１ｃとを備えている。１０２は銅からなるコイルである。１０３は電気的絶縁を図るための座板である。
【０００４】
同一構成の磁気コア１０１を対向させることによって中央凸部１０１ｂを中心として形成されている凹部１０１ａにコイル１０２を収納し、下側から座板１０３をあてることによってチョークコイルを構成させる。
【０００５】
なお、この出願の発明に関する先行技術文献情報としては、例えば、特許文献１が知られている。
【特許文献１】特開２００３−１６８６１４号公報
【発明の開示】
【発明が解決しようとする課題】
【０００６】
従来のチョークコイルはデジタルアンプなどで使用時に発生する瞬間的な大電流が流れた際に磁気コア１０１の中央凸部１０１ｂから漏洩してしまう磁束が大きく、損失が大きいという課題を有していた。そこで本発明では瞬間的な大電流が流れた際でも漏洩する磁束の少ない磁気コアとすることを目的とするものである。
【課題を解決するための手段】
【０００７】
そしてこの目的を達成するために略方形状の外形を有する磁気コアに、コイルを収納する凹部と、コイルの中央部に磁心を形成する中央凸部と、外壁とを備え、前記中央凸部の断面積が略方形状の外形の断面積に対し２０〜２６％とすることを特徴としたものである。
【発明の効果】
【０００８】
本発明によれば、略方形状の外形を有する磁気コアに対し、中央部で磁心を形成する中央凸部の断面積が大きいのでコイルに瞬間的な大電流が流れても、中央凸部による磁路から磁束が漏洩することなく、コイルの自己誘導作用が発揮されるので急激な電流変化に対して電流を阻止でき、損失の低い磁気コアとすることができるものである。
【発明を実施するための最良の形態】
【０００９】
（実施の形態１）
以下、本発明の実施の形態におけるチョークコイルについて図面を参照しながら説明する。
【００１０】
本実施の形態に用いられるチョークコイルの分解斜視図を図１に示す。
【００１１】
図１において、１はＭｎ−Ｚｎフェライトからなる磁気コアであり、凹部１ａと中央凸部１ｂと外周部１ｃとを備えている。２は銅からなるコイルである。３は電気的絶縁を図るための座板である。
【００１２】
コイル２の軸方向に対し垂直な面における磁気コア１の略方形状の外形の断面積に対し、中央凸部１ｂの断面積は２０〜２６％であり、本実施の形態では２１％とした。このようにしたことが本発明の技術的特徴である。これにより、コイル２に流れる急激な大電流に対して中央凸部１ｂによる磁路から磁束が漏洩することが少なくなるものである。
【００１３】
図２は図１においてチョークコイルを構成した後のＸ−Ｘ´の位置でコイル２の軸方向と水平な面における断面図である。図２のごとく、対向させた磁気コア１における凹部１ａ、中央凸部１ｂ、外周部１ｃによって構成される磁路１ｄで形成される。
【００１４】
コイル２に電流が流れると磁路１ｄに磁束が発生し、急激な電流変化に対してインダクタの自己誘導作用によって電流を阻止する役割を果たすものである。
【００１５】
従来であれば外周部１ｃの断面積を大きくすることによって磁気コア１から漏洩する磁束を少なくするようにしていた。しかし、外周部１ｃの断面積を大きくすると中央凸部１ｂの断面積の径が小さくなってしまい、音楽信号に基づいて大きな振幅幅の増幅を行うデジタルアンプ用の信号などの瞬間的な大電流がコイル２に流れると、中央凸部１ｂから磁束が漏洩してしまうものであった。
【００１６】
本実施の形態の発明によれば、中央凸部１ｂの断面積が大きいのでコイル２に瞬間的な大電流が流れても中央凸部１ｂから磁束が漏洩することがないだけでなく、コイル２の巻き径も大きくなるため、直流抵抗が小さくなり、コイル２の銅線による損失も小さくすることができるものである。
【００１７】
なお、磁気コア１はＭｎ−Ｚｎフェライトとしたが、これにより磁気コア１に飽和させる磁束密度を高くすることができるものである。磁気コア１をＮｉ−Ｚｎフェライトとしてもよく、これにより磁気コアの強度を高くすることができる。
【００１８】
（実施例）
以下、本発明の実施形態における実施例について説明する。
【００１９】
図３は本実施の形態における磁気コア１の斜視図である。図３において１ｅは磁気コア１の最薄肉部分におけるコア強度測定方向を示している。
【００２０】
コイル２の軸方向に対し垂直な面における磁気コア１の略方形状の外形の断面積に対し、中央凸部１ｂの断面積の比率をＡとし、チョークフィルターの性能を示す一定電流におけるインダクタンス値Ｌ値との関係を図４（ａ）に示す。本実施例では一定電流として８．０ＡにおけるＬ値を示す。Ａ＝（中央凸部１ｂの断面積）／（コイル２の軸方向に対し垂直な面における磁気コア１の略方形状の外形の断面積）とすると、Ａが２８％までは比例してＬ値は上昇し、２８％を過ぎると減少する。
【００２１】
図４（ｂ）は比率Ａとコア強度測定方向１ｅでの破断応力との関係を示す。すると、Ａが２０％まではほぼ一定の値となり、２０％〜２６％まででやや下がり、２６％をすぎると極度に低下する。従来は１０〜１７％であった。本実施例ではＭｎ−Ｚｎフェライトの傾向を示したがＮｉ−Ｚｎフェライトでも同様の傾向を示す。重要なことは磁気コア１に凹部１ａを設けた後、外周部１ｃの強度が極度に低下しない範囲で中央凸部１ｂの断面積を最大になるようにすることである。
【００２２】
これによって比率Ａを２０〜２６％とすることでＬ値の高い、すなわち漏洩磁束の少ない磁気コア１とすることができるものである。
【産業上の利用可能性】
【００２３】
以上のように、本発明にかかるチョークコイルによれば、コイルに流れる瞬間的な大電流に対し磁束の漏洩の少ない磁気コアにでき、デジタルアンプ用のチョークコイルの性能向上が実現できる。
【図面の簡単な説明】
【００２４】
【図１】本発明の実施の形態におけるチョークコイルの分解斜視図
【図２】本発明の実施の形態におけるチョークコイルの断面図
【図３】本発明の実施の形態における磁気コアの斜視図
【図４】（ａ）本発明の実施の形態における比率ＡとＬ値との相関グラフ、（ｂ）本発明の実施の形態における比率Ａと磁気コアのコア強度との相関グラフ
【図５】従来のチョークコイルの分解斜視図
【符号の説明】
【００２５】
１  磁気コア
１ａ  凹部
１ｂ  中央凸部
１ｃ  外周部
１ｄ  磁路
１ｅ  コア強度測定方向
２  コイル
３  座板
【図１】
2006210644.tif 000003
【図２】
2006210644.tif 000004
【図３】
2006210644.tif 000005
【図４】
2006210644.tif 000006
【図５】
2006210644.tif 000007